(57)【要約】【課題】グループ出力が指定された印刷ジョブに対して部間中止を指示しても、部の切れ目となるタイミングがないため、結果として印刷処理が中止されずに、最後まで印刷されてしまう。【解決手段】部を構成する複数ページを印刷した部単位の用紙束を、指定された部数分、繰り返し生成する第１出力モード、或いは、同一ページを指定された部数分連続して印刷処理を各ページに対して順次実行する第２出力モードが設定されたジョブを実行する。このジョブの実行中に、第２出力モードが設定されたジョブの中止指示を受け付けると、そのジョブの実行を即時中止するように制御する。【選択図】  図７
2018187941.tif 000002
【特許請求の範囲】
【請求項１】
部を構成する複数ページを印刷した部単位の用紙束を、指定された部数分、繰り返し生成する第１出力モード、或いは、同一ページを指定された部数分連続して印刷する処理を各ページに対して順次実行する第２出力モードが設定されたジョブを実行する実行手段と、
前記ジョブ制御手段によるジョブの実行中に、当該ジョブの中止指示を受け付ける受け付け手段と、
前記第２出力モードが設定されたジョブの中止指示が前記受け付け手段により受け付けられると、前記ジョブの実行を即時中止するように制御する制御手段と、
を有することを特徴とする画像形成装置。
【発明の詳細な説明】
【技術分野】
【０００１】
本発明は、画像形成装置に関するものである。
【背景技術】
【０００２】
一般的に、プリンタやデジタル複合機のような画像形成装置には、印刷を途中で中止させる中止指示（例えば、ユーザによる中止キーの押下）がなされると、できるだけ早いタイミングで実行中の印刷処理が中止される。そのため、例えばステイプルのように、印刷した部単位の用紙束に対して後処理を実行する印刷ジョブの実行中に中止処理を行うと、部の印刷途中で印刷が中止されるため、中途半端な用紙束が生成されてしまうことがあった。そこで特許文献１には、上記のような印刷ジョブの実行中に中止指示がなされると、部の切れ目のタイミングで印刷処理を中止することが提案されている。更に、複数部数の印刷を行う印刷ジョブの中止方法として、できるだけ早いタイミングでの印刷処理を中止させる即時中止と、部の切れ目のタイミングでの印刷処理を中止させる部間中止を選択可能にしている。
【先行技術文献】
【特許文献】
【０００３】
【特許文献１】特開２００７−１０２４９６号公報
【発明の概要】
【発明が解決しようとする課題】
【０００４】
しかしながら、この特許文献１では、同一ページを指定された部数分連続して印刷し、この印刷処理を各ページに対して順次実行出力モード（グループ出力）の印刷ジョブに対する部間中止の指示が考慮されていない。即ち、グループ出力が指定された印刷ジョブに対して部間中止を指示しても、部の切れ目となるタイミングがないため、結果として印刷処理が中止されずに、最後まで印刷されてしまうことになる。
【０００５】
本発明の目的は、上記従来技術の問題点を解決することにある。
【０００６】
本発明の特徴は、同一ページを指定された部数分連続して印刷する処理を各ページに対して順次実行する印刷ジョブを適切に中止できるようにする技術を提供することにある。
【課題を解決するための手段】
【０００７】
上記目的を達成するために本発明の一態様に係る画像形成装置は以下のような構成を備える。即ち、
部を構成する複数ページを印刷した部単位の用紙束を、指定された部数分、繰り返し生成する第１出力モード、或いは、同一ページを指定された部数分連続して印刷する処理を各ページに対して順次実行する第２出力モードが設定されたジョブを実行する実行手段と、
前記ジョブ制御手段によるジョブの実行中に、当該ジョブの中止指示を受け付ける受け付け手段と、
前記第２出力モードが設定されたジョブの中止指示が前記受け付け手段により受け付けられると、前記ジョブの実行を即時中止するように制御する制御手段と、を有することを特徴とする。
【発明の効果】
【０００８】
本発明によれば、同一ページを指定された部数分連続して印刷する処理を各ページに対して順次実行する印刷ジョブを適切に中止できるようにすることができる。
【０００９】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１０】
添付図面は明細書に含まれ、その一部を構成し、本発明の実施の形態を示し、その記述と共に本発明の原理を説明するために用いられる。
【図１】本発明の実施形態１に係る画像形成装置のスキャナ部及びプリンタ部の構成を説明する断面図。
【図２】実施形態１に係る画像形成装置のハードウェア構成を説明する概略図。
【図３】実施形態１に係る画像形成装置の制御プログラムの構成を示すブロック図。
【図４】実施形態１に係る画像形成装置において、表示部に表示される操作画面の一例を示す図。
【図５】実施形態１に係る画像形成装置において、実行中のジョブの実行状況を表示する画面の一例を示す図。
【図６】実施形態１に係る画像形成装置で、部間中止処理を実行している時に表示される画面の一例を示す図。
【図７】本実施形態１に係る画像形成装置で印刷の中止が指示されたときの制御を説明するフローチャート。
【図８】実施形態２に係る画像形成装置で、ユーザが中止ボタンを押下したときに表示部に表示される画面の一例を示す図。
【図９】実施形態２に係る画像形成装置で印刷の中止が指示されたときの制御を説明するフローチャート。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
［実施形態１］
図１は、本発明の実施形態１に係る画像形成装置１０００のスキャナ部１００及びプリンタ部２００の構成を説明する断面図である。尚、実施形態１に係る画像形成装置１０００は、スキャン機能、プリント機能、ＳＥＮＤ機能及びボックス機能などを有する多機能処理装置（ＭＦＰ）を例に説明する。
【００１３】
スキャナ部１００の原稿トレイ１０１に積載された原稿を読み取る場合、光学ユニット１０５を所定位置に固定してランプ１０４を点灯する。この状態で、原稿トレイ１０１から原稿を１枚ずつ給送し、光学ユニット１０５に対して、原稿を相対的に移動させながら光学ユニット１０５により原稿を露光して原稿を読み取る（流し読み）。このとき、原稿トレイ１０１に原稿が積載されていることをセンサ１１５により検知すると、ピックアップローラ１１１を回転させて原稿トレイ１０１上の原稿を引き込む。その後、その原稿は第一搬送ローラ１１２及び第二搬送ローラ１１３を介して光学ユニット１０５上を通過して排出トレイ１０３に排出される。また原稿の両面を読み取る場合は、光学ユニット１０５上を通過した原稿を反転ローラ１１４によってスイッチバックさせることによって、原稿の表裏を反転させる。その後、再度、その反転させた原稿を、第二搬送ローラ１１３を介して光学ユニット１０５上を通過させることで、その原稿の裏面を露光走査し、更に、もう一度反転ローラ１１４によってスイッチバックさせて排出トレイ１０３に排出する。
【００１４】
これに対して、プラテンガラス１０２上にセットされた原稿を読み取る場合は、ランプ１０４を点灯し、光学ユニット１０５を副走査方向（図１の右方向）に移動させて原稿を露光走査する。
【００１５】
露光走査された原稿からの反射光は、ミラー１０６，１０７，１０８及びレンズ１０９によってＣＣＤ（Ｃｈａｒｇｅ Ｃｏｕｐｌｅｄ Ｄｅｖｉｃｅｓ）イメージセンサ１１０へ導かれる。このようにして、走査された原稿の画像はＣＣＤイメージセンサ１１０によって画像信号として出力される。この画像信号は所定の処理が施されて画像データに変換された後、コントローラユニット３１０（図２）へ送られる。
【００１６】
次にプリンタ部２００の構成を説明する。
【００１７】
プリンタ部２００のレーザドライバ２２１はレーザ発光部２０１を駆動するもので、コントローラユニット３１０から出力された画像データに応じたレーザ光をレーザ発光部２０１に発光させる。このレーザ光が感光ドラム２０２を照射することにより、感光ドラム２０２の表面にレーザ光に応じた潜像が形成される。そして、この感光ドラム２０２に形成された潜像の部分に現像器２０３によって現像剤（トナー）が付着される。
【００１８】
プリンタ部２００は、用紙の格納部として、それぞれ引き出し状のカセット２０４，２０５，２０６，２０７、そして、機外に露出している手差しトレイ２０８を備えている。手差しトレイ２０８を除き、カセットを引き出し、そのカセットに用紙を補給し、カセットを閉めることによって用紙を補給できる。
【００１９】
そしてレーザ光の照射開始と同期したタイミングで、カセット２０４〜２０７及び手差しトレイ２０８のいずれかから用紙を給紙すると、その用紙は搬送路２１０を介して転写部２０９に搬送され、そこで感光ドラム２０２に付着された現像剤が転写される。こうして現像剤が載った用紙は搬送ベルト２１１によって定着部２１２に搬送され、定着部２１２の熱と圧力により現像剤が用紙に定着される。その後、定着部２１２を通過した用紙は搬送路２１３、搬送路２１４を通って排出ビン２２０に排出される。また或いは、印刷面を反転して排出する場合には、搬送路２１５、搬送路２１９まで導かれ、そこから用紙を逆方向に搬送し、搬送路２１７、搬送路２１４を通過して排出ビン２２０に排出される。
【００２０】
また、両面印刷が設定されている場合は、用紙は定着部２１２を通過した後、搬送路２１５からフラッパ２１８によって搬送路２１９に導かれ、その後印刷用紙を逆方向に搬送し、フラッパ２１８によって、搬送路２１６、再給紙搬送路２２２へ導かれる。再給紙搬送路２２２に導かれた用紙は上述したタイミングで搬送路２１０を通って転写部２０９へ給紙されて、印刷済の用紙の裏面に画像が印刷される。
【００２１】
図２は、本発明の実施形態１に係る画像形成装置１０００のハードウェア構成を説明する概略図である。
【００２２】
この画像形成装置１０００は、コントローラユニット（制御部）３１０、表示部３２０、操作部３３０、プリンタ部２００、スキャナ部１００を有する。表示部３２０は、ＬＥＤや液晶表示部等を備え、オペレータの操作内容や装置の内部状態を表示するのに使用される。操作部３３０はオペレータによる操作を受け付ける。操作部３３０は、複数の操作ボタンを備えるだけでなく、表示部３２０とともにタッチディスプレイとして実現される場合もある。プリンタ部２００は、画像データを紙媒体に印刷する。スキャナ部１００は、原稿の画像を読み取って画像データとして出力する。
【００２３】
コントローラユニット３１０は、ＣＰＵ２０１０，ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）２０１１，ＲＯＭ２０１２，ＲＡＭ２０１３を有する。更に、ＨＤＤ（ハードディスクドライブ）２０１４、デバイス制御Ｉ／Ｆ（インターフェース）２０１６、表示Ｉ／Ｆ２０１７、操作Ｉ／Ｆ２０１８、ネットワークＩ／Ｆ２０１９を有する。
【００２４】
ＣＰＵ２０１０は、ＲＡＭ２０１３に展開された制御プログラムに従って画像形成装置１０００全体の動作を制御しており、各Ｉ／Ｆ、記憶媒体のメモリ、専用チップなどを介して、コントローラユニット３１０に接続されるデバイスの動作を制御する。ＡＳＩＣ２０１１は特定用途向けのＩＣチップで、ＣＰＵ２０１０とは別に、画像処理などの特定の処理を担う。制御プログラムは、ＲＯＭ２０１２又はＨＤＤ２０１４に記憶され、制御プログラムの実行時にはその制御プログラムはＲＡＭ２０１３に展開されてＣＰＵ２０１０の制御の下に実行される。またＲＡＭ２０１３は、ＣＰＵ２０１０により制御プログラムが実行される際のワークメモリとして使用され、印刷ジョブや印刷対象の画像データ等を記憶するのに使用される。またＨＤＤ２０１４にも印刷ジョブや印刷対象の画像データ等が記憶される。尚、ＣＰＵ２０１０，ＡＳＩＣ２０１１，ＲＯＭ２０１２，ＲＡＭ２０１３及びＨＤＤ２０１４は、図２においてそれぞれ１つしか存在しないが、他の実施形態として複数から構成される場合もあり、それらの構成及び接続形態は本実施形態に限らない。
【００２５】
デバイス制御Ｉ／Ｆ２０１６は、コントローラユニット３１０に接続されるデバイス（プリンタ部２００、スキャナ部１００）との入出力を制御し、デバイスの制御指示やデバイスの状態通知等の通信を行う。デバイス制御Ｉ／Ｆ２０１６は複数デバイスが接続可能なバス構造として実現されるだけでなく、複数のＩ／Ｆに分割されて、接続されるデバイスと１対１でＩ／Ｆが備えられる場合もある。表示Ｉ／Ｆ２０１７は表示部３２０への出力を司る。操作Ｉ／Ｆ２０１８は操作部３３０からの入力を司る。
【００２６】
画像形成装置１０００は、外部Ｉ／Ｆとして、ネットワークとのデータ入出力を司るネットワークＩ／Ｆ２０１９を有している。画像形成装置１０００は、ネットワークＩ／Ｆ２０１９を介してネットワークケーブル３７１でインターネット又はイントラネットであるＬＡＮ／ＷＡＮ（Ｌｏｃａｌ Ａｒｅａ Ｎｅｔｗｏｒｋ／Ｗｉｄｅ Ａｒｅａ Ｎｅｔｗｏｒｋ）３７０に接続される。
【００２７】
図３は、実施形態１に係る画像形成装置１０００の制御プログラムの構成を示すブロック図である。尚、図３において、図２と共通する部分は同じ符号で示している。
【００２８】
実施形態１に係る画像形成装置１０００に内蔵される制御プログラムは、ＲＯＭ２０１２或いはＨＤＤ２０１４に記憶され、プログラムの実行時には、そのプログラムはＲＡＭ２０１３に展開されＣＰＵ２０１０の制御の下に実行される。この制御プログラムは、画像処理部３０１、プリンタ制御部３０２、スキャナ制御部３０３、ジョブ制御部３０４、表示制御部３０５、オペレータ操作解釈部３０６、ネットワークプロトコル処理部３０７を備えている。
【００２９】
表示制御部３０５は、ジョブ制御部３０４からジョブや装置の状態などの情報を受け取り、その情報を表示画面に反映させるためのコマンドを表示Ｉ／Ｆ２０１７に送信して表示部３２０に表示させる。オペレータ操作解釈部３０６は、操作Ｉ／Ｆ２０１８を介して、操作部３３０でユーザにより入力された操作コマンドを受信し、ジョブ制御部３０４に対してジョブの開始、中断、再開、終了等の様々な指示を行う。ネットワークプロトコル処理部３０７は、ＴＣＰ／ＩＰ（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ）を含む標準ネットワークプロトコルの処理を行う。こうしてネットワークＩ／Ｆ２０１９を介したデータ送受信を実現する。画像処理部３０１は、スキャナ部１００で読み取った原稿の画像データを受け取って処理する。または、受け取った画像データがＰＤＬ（ページ記述言語）データの場合は、そのＰＤＬデータを展開して画像データを生成する。そしてＡＳＩＣ２０１１に対するデータの送受信のタイミングやパラメータ設定を制御することで、画像データの伸張／圧縮や回転等の画像処理を行う。プリンタ制御部３０２は、デバイス制御Ｉ／Ｆ２０１６を介して給紙指示コマンドなどの印刷制御命令をプリンタ部２００とやりとりしてプリンタ部２００を制御し、画像データを紙媒体に印刷させる。スキャナ制御部３０３は、原稿を読み取って画像データを生成するようにデバイス制御Ｉ／Ｆ２０１６を介してスキャナ部１００を制御する。ジョブ制御部３０４は、操作Ｉ／Ｆ２０１８やネットワークＩ／Ｆ２０１９から受信したデータをジョブとして受け取り、そのジョブの内容に応じて各デバイスの動作を統括しながらジョブを実行する。例えば、コピージョブでは、スキャナ制御部３０３、画像処理部３０１、プリンタ制御部３０２を制御してコピー動作を実現するとともに、表示制御部３０７にジョブの実行状況等の表示指示を出す。
【００３０】
図４及び図５は、実施形態１に係る画像形成装置において、表示部３２０及び操作部３３０がタッチディスプレイとして実現されているとき、表示部３２０に表示される操作画面の一例を示す図である。
【００３１】
図４は、実施形態１におけるコピー機能を使用するコピージョブの設定画面の一例を示しており、図４（Ａ）は、コピージョブの設定を行うためのトップ画面の一例を示す。図４（Ａ）に示すトップ画面は、設定出力部数の表示領域４００、仕上げボタン４１０、両面ボタン４２０などを備える。
【００３２】
図４（Ｂ）は、図４（Ａ）の画面で、ユーザが仕上げボタン４１０を押下したときに表示される画面例を示す。この画面は、ソートボタン４１１、グループボタン４１２などを備える。
【００３３】
ソートボタン４１１は、部を構成する複数ページを順に印刷した部単位の用紙束を、指定された部数分、繰り返し生成する出力モード（ソート出力）を設定するボタンである。グループボタン４１２は、同一ページを指定された部数分連続して印刷する処理を各ページに対して順次実行する出力モード（グループ出力）を設定するボタンである。ＣＰＵ２０１０は、ユーザからのコピージョブの開始指示を受け付けると、図４（Ａ）と図４（Ｂ）の画面を介した設定に従って、コピージョブを実行する。
【００３４】
図５は、実行中のジョブの実行状況を表示する画面の一例を示す図である。
【００３５】
図５（Ａ）は、コピージョブ及びプリントジョブの実行状況を表示する画面の一例を示す。この画面では、表示領域５００に実行中のジョブの一覧と、そのジョブの関連情報や実行状況が表示されている。また表示領域５２１には、実行中のジョブや装置の状態が表示される。更に、この画面は、実行中のジョブを操作するための各種ボタンを備えており、ユーザは表示領域５００に表示されているジョブを選択して中止ボタン５１０を押下することにより、その選択したジョブの実行を中止させることができる。
【００３６】
図５（Ｂ）は、図５（Ａ）の画面で、ジョブ５２０を選択した状態で、ユーザが中止ボタン５１０を押下したときに表示される画面の一例を示す。ここでは表示領域５００で選択されたジョブ５２０に対する中止操作を受け付けた場合を示す。表示領域５００で対象のジョブ５２０が選択された状態で中止ボタン５１０が押下されると、中止ダイアログ５１１が表示される。この中止ダイアログ５１１は、中止操作の実施確認をユーザに促すための画面であり、中止方法を選択させるためのチェックボックス５１２を備えている。ユーザは、このチェックボックス５１２をチェックした状態で「はい」ボタン５１３を押すことにより、部の切れ目で印刷を中止する部間中止を指示できる。一方、チェックボックス５１２をチェックしない状態で「はい」ボタン５１３を押すことにより、直ぐに印刷を中止する即時中止を指示できる。
【００３７】
この部間中止指示を受け付けたときの部間中止処理では、ＣＰＵ２０１０は以下のような制御を行う。例えば、３ページの原稿を４部ソート出力モードで印刷するジョブを受け付けたとする。つまり、このジョブは、１部が、１〜３のページを順次印刷した用紙３枚からなる用紙束で、これら用紙束を４部生成するジョブである。このジョブの実行中、例えば１部目の印刷が完了していて、２部目の１ページ目の印刷を実行しているときに図５（Ｂ）の画面から部間中止処理の指示を受け付けたとする。この場合は、引き続き２部目の２ページ目及び３ページ目の印刷を実行して２部目の用紙束を生成した後、このジョブを終了する。
【００３８】
図６は、実施形態１に係る画像形成装置で、部間中止処理を実行している時に表示される画面の一例を示す図である。
【００３９】
部間中止処理の実行が開始されると、表示領域５００の選択されたジョブ５２０の状況が「中止中」に変更されている。更に、表示領域５２１には、部間中止処理を実行している旨「部間中止中です」が表示されている。
【００４０】
一方、例えば、３ページの原稿を４部、グループ出力モードで印刷するジョブ、つまり、１ページ目を４部分連続して印刷した用紙４枚から成る用紙束を、各ページごとに合計３セット生成するジョブで、部間中止処理を行う場合を説明する。この場合、部ごとの用紙束を生成するソート出力モードのジョブとは異なり、グループ出力モードのジョブには明確な部の切れ目（部間）が存在しないため、最後まで印刷してしまうことになる。即ち、中止処理が実行されていない場合と同じジョブの実行結果となってしまう。
【００４１】
また、例えば、３ページの原稿を４部ソート出力モードにて印刷するジョブを実行中に即時中止指示を受け付けた場合を説明する。このときに、既に１部目の印刷が完了していて２部目の１ページ目の印刷を実行している最中とする。この場合は、既に給紙して印刷を行っている２部目の１ページ目の印刷はそのまま実行し、次に印刷予定である２部目の２ページ目の印刷を実行せずに、２部目の１ページ目の印刷が完了すると、このジョブを終了する。この時、実行中の２部目の１ページ目の印刷がエラーによる中断で印刷動作が中止された場合、そのジョブを終了してもよい。
【００４２】
次に、グループ出力モードで印刷するジョブの実行中に、即時中止指示を受け付けた場合を説明する。ここでも、例えば、３ページの原稿を４部、グループ出力モードで印刷するジョブを受け付けたとする。このジョブにおいて、既に、１ページ目が４枚（４部）印刷されていて、次の２ページ目の１枚目を印刷する印刷処理を実行している最中に、図５（Ｂ）の画面から即時中止処理の指示を受け付けたとする。この即時中止処理では、既に給紙して印刷を行っている、２ページ目の１枚目の印刷はそのまま実行し、次に印刷予定である２ページ目の２枚目の印刷を実行せずに、このジョブを終了する。尚、この場合、実行中の２ページ目の印刷が、エラー中断により停止した場合に、その時点でジョブを終了してもよい。
【００４３】
図７は、本実施形態１に係る画像形成装置で印刷の中止が指示されたときの制御を説明するフローチャートである。この処理は、ＣＰＵ２０１０が、ＲＯＭ２０１３或いはＨＤＤ２０１４からＲＡＭ２０１３に展開された制御プログラムを実行することにより達成される。この処理は、ＣＰＵ２０１０が、操作部３３０から操作Ｉ／Ｆ２０１８を介してユーザからの中止指示を受け付ける（図５の中止ボタン５１０が押下される）ことにより開始される。
【００４４】
まずＳ７０１でＣＰＵ２０１０は、図５の画面で選択された中止対象のジョブ５２０の出力モードを判定し、そのジョブにグループ出力モードが設定されているかどうかを判定する。グループ出力モードが設定されているときはＳ７０５に進みＣＰＵ２０１０は、そのジョブに対して即時中止処理を実行して、この処理を終了する。
【００４５】
一方Ｓ７０１で、そのジョブにグループ出力モードが設定されていないと判定するとＳ７０２に進みＣＰＵ２０１０は、図５（Ｂ）に示すような中止ダイアログ５１１を含む画面を表示する。そして、この画面で「はい」ボタン５１３が押下されたかどうかを判定する。はい」ボタン５１３が押下されたときはＳ７０３に進みＣＰＵ２０１０は、受け付けた中止指示の中止方法を判定する。ここで即時中止指示を受け付けたと判定するとＳ７０５に進みＣＰＵ２０１０は、そのジョブに対して即時中止処理を実行する。
【００４６】
一方、Ｓ７０３でＣＰＵ２０１０は、図５（Ｂ）の画面を介して、部間中止指示を受け付けたと判定した場合はＳ７０４に進み、ＣＰＵ２０１０は、そのジョブに対して部間中止処理を実行して、この処理を終了する。
【００４７】
またＳ７０２で「はい」ボタン５１３ではなく「いいえ」ボタン５１４が押下されたと判定したときは、この中止処理を行わずに、処理を終了する。「いいえ」ボタン５１４は、ユーザが、中止処理を中断したい場合等に押下される。
【００４８】
また、印刷が開始される前のジョブに対して、部間中止指示又は即時中止指示のいずれかを受け付けた場合も、即時中止処理を実行する。このときＣＰＵ２０１０は、先頭ページの印刷を実行しないでジョブを終了する。
【００４９】
また、試し印刷やプルーフ印刷と呼ばれるジョブの一部を実行している場合に、部間中止指示を受け付けた時は、ＣＰＵ２０１０は部間中止処理ではなく即時中止処理を実行してもよい。
【００５０】
また、部間中止処理を実行中のジョブで、ジャム等のエラーの発生により印刷動作が止まった場合は、部の切れ目まで印刷が完了していなくても、その時点でジョブの実行を終了してもよい。即ち、部間中止処理ではなく即時中止処理を実行してもよい。
【００５１】
また、部間中止処理を実行中のジョブで、即時中止指示を受け付けられるようにしてもよい。この場合、ＣＰＵ２０１０は、即時中止指示を受け付けると、部間中止処理から即時中止処理に切り替えて実行する。
【００５２】
以上説明したように実施形態１によれば、同一ページを指定された複数部数分、連続して印刷するグループ出力モードが指定されているジョブの実行を中止する指示がなされると、直ぐにジョブの実行を中止する。これにより無駄な印刷物の発生を少なくできる。
【００５３】
［実施形態２］
次に本発明の実施形態２を説明する。この実施形態２では、グループ出力モードが指定されているジョブの実行を中止する指示がなされると、ジョブを即時中止することをユーザに確認させる画面を表示する。そしてユーザが了解した場合にのみ、そのジョブを即時中止する例で説明する。尚、実施形態２に係る画像形成装置のハードウェア構成は前述の実施形態１に係る画像形成装置１０００と同じであるため、その説明を省略する。
【００５４】
図８は、実施形態２に係る画像形成装置１０００で、ユーザが図５（Ａ）の中止ボタン５１０を押下したときに表示部３２０に表示される画面の一例を示す図である。図８において、前述の図５と共通する部分は同じ符号で示している。
【００５５】
この実施形態２では、表示領域５００のグループ出力モードが設定されているジョブ５２０が選択された状態で、中止ボタン５１０が押下されると中止ダイアログ８１１が表示される。この中止ダイアログ８１１には、ジョブ５２０の実行を中止することを承認する「はい」ボタン８０１と、ジョブ５２０の実行を中止することを承認しない「いいえ」ボタン８０２が設けられている。ユーザにより「はい」ボタン８０１が押下されると、ジョブ５２０の実行を直ちに中止するが、「いいえ」ボタン８０２が押下されると、ジョブ５２０の実行を中止せずにジョブ５２０の実行を継続する。
【００５６】
一方、表示領域５００にてグループ出力モードが設定されていないジョブ５２０が選択された状態で、中止ボタン５１０が押下されると、前述の図５（Ｂ）に示す中止ダイアログ５１１を表示する。この場合、ユーザは前述したように、ジョブの実行を直ちに中止するか、或いは、部の切れ目で中止するかを選択できる。
【００５７】
図９は、実施形態２に係る画像形成装置１０００で印刷の中止が指示されたときの制御を説明するフローチャートである。この処理は、ＣＰＵ２０１０が、ＲＯＭ２０１３或いはＨＤＤ２０１４からＲＡＭ２０１３に展開された制御プログラムを実行することにより達成される。
【００５８】
まずＳ９０１でＣＰＵ２０１０は、表示領域５００で選択されたジョブに設定された出力モードを判定する。Ｓ９０１でそのジョブにグループ出力モードが設定されていると判定するとＳ９０２に進みＣＰＵ２０１０は、図８に示す中止方法が選択できない中止ダイアログ８１１を表示する。そしてＳ９０３に進みＣＰＵ２０１は、図８の中止ダイアログ８１１で「はい」ボタン８０１が押下されたかどうかを判定し、「はい」ボタン８０１が押下されたときはＳ９０４に進み、即時中止指示として受け付けて、この処理を終了する。一方、Ｓ９０３で「はい」ボタン８０１が押下されないとき、即ち、「いいえ」ボタン８０２が押下されると、中止指示を受け付けずに、この処理を終了する。尚、このとき、表示領域５００で複数のジョブが選択された場合は、その選択された全てのジョブにグループ出力モードが設定されている場合にのみ、中止ダイアログ８１１を表示してもよい。
【００５９】
一方、Ｓ９０１でＣＰＵ２０１０は、選択されたジョブにグループ出力モードが設定されていないと判定するとＳ９０５に進みＣＰＵ２０１０は、例えば図５（Ｂ）に示すような、中止方法が選択できる中止ダイアログ５１１を表示する。次にＳ９０６に進みＣＰＵ２０１０は、この画面で「はい」ボタン５１３が押下されたかどうかを判定する。はい」ボタン５１３が押下されたときはＳ９０７に進みＣＰＵ２０１０は、受け付けた中止指示の中止方法を判定する。Ｓ９０７でＣＰＵ２０１０が、部間中止が選択されていると判定した場合はＳ９０８に進みＣＰＵ２０１０は、部間中止指示として受け付けて、この処理を終了する。またＳ９０７でＣＰＵ２０１０は、即時中止が選択されていると判定したときはＳ９０４に進み、即時中止指示として受け付けて、この処理を終了する。尚、中止指示を受け付けた後ＣＰＵ２０１０が行う即時中止処理及び部間中止処理は、図７のＳ７０４，Ｓ７０５に示す処理と同じである。
【００６０】
以上説明したように実施形態２によれば、グループ出力モードが指定されているジョブの実行を中止する指示がなされると、そのジョブを即時中止することをユーザに確認させ、ユーザが了解した場合にのみ、そのジョブを即時中止するようにできる。これによりユーザが、ジョブを即時中止するつもりでないとき、グループ出力モードが指定されているためにジョブがユーザの意図に反して即時中止されるといった事態の発生を防止できる。
【００６１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００６２】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【００６３】
１０００…画像形成装置、３１０…コントローラユニット（制御部）、３２０…表示部、３３０…操作部、２０１０…ＣＰＵ、５１０…中止ボタン、５１２…チェックボックス、５００…表示領域
【図１】
2018187941.tif 000003
【図２】
2018187941.tif 000004
【図３】
2018187941.tif 000005
【図４】
2018187941.tif 000006
【図５】
2018187941.tif 000007
【図６】
2018187941.tif 000008
【図７】
2018187941.tif 000009
【図８】
2018187941.tif 000010
【図９】
2018187941.tif 000011
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
印刷装置であって、
少なくとも所定の複数ページの印刷処理を行う印刷手段と、
ユーザの操作を受け付ける受け付け手段と、
前記所定の複数ページの印刷処理に対する中止指示を受け付けると、前記印刷処理が前記所定の複数ページを少なくとも含む１部の単位で印刷を繰り返す第１の指示を指示していれば、前記印刷処理を、前記所定の複数ページにおける最終ページが印刷された後に停止させ、前記印刷処理が前記所定の複数ページのそれぞれのページの印刷を繰り返す第２の指示を指示していれば、前記印刷処理を、次のページから停止可能とする制御手段と、
を有することを特徴とする印刷装置。
【請求項２】
前記制御手段は、前記第１の指示が指示されていれば、前記印刷処理を、印刷が開始された部の最終ページまで継続し、前記第２の指示が指示されていれば、前記印刷処理を、給紙されたシートに対するページまで継続し、その次のページの印刷を停止することを特徴とする請求項１に記載の印刷装置。
【請求項３】
前記制御手段は、前記第１の指示の場合でも、前記印刷処理を、１部の最終ページが印刷されていなくとも次のページが印刷される前に停止させることが可能であることを特徴とする請求項１又は２に記載の印刷装置。
【請求項４】
前記受け付け手段は、前記第１の指示、若しくは、前記第２の指示を指示できる表示部を備えることを特徴とする請求項１乃至３のいずれか１項に記載の印刷装置。
【請求項５】
前記受け付け手段は、更に、部数の入力を受け付け可能であり、前記制御手段は、前記部数に応じて前記印刷を繰り返すことを特徴とする請求項１乃至４のいずれか１項に記載の印刷装置。
【請求項６】
少なくとも所定の複数ページの印刷処理を行う印刷手段を有する印刷装置の制御方法であって、
ユーザの操作を受け付ける受け付け工程と、
前記所定の複数ページの印刷処理に対する中止指示を受け付けると、前記印刷処理が、前記所定の複数ページを少なくとも含む１部の単位で印刷を繰り返す第１の指示を指示していれば、前記印刷処理を、前記所定の複数ページにおける最終ページが印刷された後に停止させ、前記印刷処理が、前記所定の複数ページのそれぞれのページの印刷を繰り返すよう第２の指示を指示していれば、前記印刷処理を、次のページから停止可能とする制御工程と、
前記制御工程による制御の下で前記印刷装置において印刷処理を実行させる印刷工程と、
を有することを特徴とする制御方法。
【請求項７】
前記制御工程は、前記第１の指示が指示されていれば、前記印刷処理を、印刷が開始された部の最終ページまで継続し、前記第２の指示が指示されていれば、前記印刷処理を、給紙されたシートに対するページまで継続し、その次のページの印刷を停止することを特徴とする請求項６に記載の制御方法。
【請求項８】
前記制御工程は、前記第１の指示の場合でも、前記印刷処理を、１部の最終ページが印刷されていなくとも次のページが印刷される前に停止させることが可能であることを特徴とする請求項６又は７に記載の制御方法。
【請求項９】
表示部を介して、前記第１の指示、若しくは、前記第２の指示を指示できる工程を、更に備えることを特徴とする請求項６乃至８のいずれか１項に記載の制御方法。
【請求項１０】
前記受け付け工程は、更に、部数の入力を受け付け可能であり、前記制御工程は、前記部数に応じて前記印刷を繰り返すことを特徴とする請求項６乃至９のいずれか１項に記載の制御方法。
【手続補正３】
【補正対象書類名】明細書
【補正対象項目名】０００１
【補正方法】変更
【補正の内容】
【０００１】
本発明は、印刷装置とその制御方法に関するものである。
【手続補正４】
【補正対象書類名】明細書
【補正対象項目名】０００６
【補正方法】変更
【補正の内容】
【０００６】
本発明の目的は、複数ページに対する印刷が、１部の単位で印刷を繰り返す印刷か、或いは複数ページのそれぞれのページの印刷を繰り返す印刷であっても、印刷ジョブを適切に中止できるようにする技術を提供することにある。
【手続補正５】
【補正対象書類名】明細書
【補正対象項目名】０００７
【補正方法】変更
【補正の内容】
【０００７】
上記目的を達成するために本発明の一態様に係る印刷装置は以下のような構成を備える。即ち、
印刷装置であって、
少なくとも所定の複数ページの印刷処理を行う印刷手段と、
ユーザの操作を受け付ける受け付け手段と、
前記所定の複数ページの印刷処理に対する中止指示を受け付けると、前記印刷処理が前記所定の複数ページを少なくとも含む１部の単位で印刷を繰り返す第１の指示を指示していれば、前記印刷処理を、前記所定の複数ページにおける最終ページが印刷された後に停止させ、前記印刷処理が前記所定の複数ページのそれぞれのページの印刷を繰り返す第２の指示を指示していれば、前記印刷処理を、次のページから停止可能とする制御手段と、を有することを特徴とする。
【手続補正６】
【補正対象書類名】明細書
【補正対象項目名】０００８
【補正方法】変更
【補正の内容】
【０００８】
本発明によれば、複数ページに対する印刷が、１部の単位で印刷を繰り返す印刷か、或いは複数ページのそれぞれのページの印刷を繰り返す印刷であっても、印刷ジョブを適切に中止できる。